(57)【要約】【課題】  額縁部分が狭く、薄型の両面表示型液晶表示装置を提供する。【解決手段】  ２枚の液晶パネル１０２は、それぞれ両面バックライト装置１０１の表面及び裏面に対応して配置される。表面側及び裏面側の液晶パネル１０２には、それぞれ、両面バックライト装置１０１の端部に固定される回路基板１０５がＴＣＰ１０４を介して接続される。各ＴＣＰ１０４には、それぞれ、第１スリット部１４３及び第２スリット部１４４が形成される。両面表示型液晶表示装置１００では、表面側の液晶パネル１０２に接続されるＴＣＰ１０２の折り曲げ位置と、裏面側の液晶パネル１０２に接続されるＴＣＰ１０２の折り曲げ位置とを異なる位置としてあり、両面バックライト装置１０１の端部では、回路基板１０５がその厚み方向に重なるように配置される。【選択図】    図１
2005107071.tif 000002
【特許請求の範囲】
【請求項１】
表面及び裏面に発光面を有するバックライト装置の表面側及び裏面側にそれぞれ液晶表示パネルを有する両面表示型液晶表示装置において、
前記表面側及び裏面側の液晶表示パネルにそれぞれ対応して前記バックライト装置の一端面に配設され、該端面からの距離が相互に異なるように支持される２つの回路基板と、
前記液晶表示パネルと、該液晶パネルに対応する回路基板とをそれぞれ接続するテープ・キャリア・パッケージ（ＴＣＰ）とを備え、
前記ＴＣＰはそれぞれ複数の折り曲げ可能位置を有し、前記双方のＴＣＰの折り曲げ位置が相互に異なることを特徴とする両面表示型液晶表示装置。
【請求項２】
前記双方のＴＣＰは、それぞれ、延長方向に位置が異なる第１及び第２のスリット部を有し、一方のＴＣＰは第１のスリット部で折り曲げられ、他方のＴＣＰは第２のスリット部で折り曲げられている、請求項１に記載の両面表示型液晶表示装置。
【請求項３】
前記双方のＴＣＰは、複数の折り曲げ位置が選択可能なスリット部をそれぞれ同じ位置に有し、該スリット部における折り曲げ位置が双方のＴＣＰで異なる、請求項１に記載の両面表示型液晶表示装置。
【請求項４】
前記双方の回路基板は、実質的に同一形状を有し、前記端面と直交方向に見ると重なって配置される、請求項１に記載の両面表示型液晶表示装置。
【請求項５】
一方の回路基板は前記端面に接して固定され、他方の回路基板は前記端面から離隔して固定される、請求項４に記載の両面表示型液晶表示装置。
【請求項６】
前記バックライト装置の表面及び裏面の端部付近に形成された溝又は突起にスナップ係合する係合部と、前記一方の回路基板を前記端面に保持する第１の保持部と、前記他方の回路基板を端面から離隔して保持する第２の保持部とを備える固定部材によって前記双方の回路基板を固定する、請求項５に記載の両面表示型液晶表示装置。
【請求項７】
前記第２の保持部は、前記他方の回路基板をスナップ状に挟み込むかぎ状の爪を有する、請求項６に記載の両面表示型液晶表示装置。
【発明の詳細な説明】
【技術分野】
【０００１】
本発明は、両面表示型液晶表示装置に関し、更に詳しくは、表面及び裏面に発光面を有するバックライト装置の双方の発光面に対応して液晶パネルがそれぞれ配置される両面表示型液晶表示装置に関する。
【背景技術】
【０００２】
近年、液晶表示装置はその適用範囲が広がり、種々の液晶表示装置が提案されている。種々の液晶表示装置として、例えば、表面及び裏面で画像の表示を行う両面表示型液晶表示装置が提案されている。両面表示型液晶表示装置は、通常の片面表示型の液晶表示装置を２つ背面同士で張り合わせた構造を有し、通常、その表面及び裏面には同じサイズの液晶パネルが配置される。両面表示型液晶表示装置は、例えば、駅や電車内での広告等に使用することができる。
【０００３】
図９は、従来の両面表示型液晶表示装置の断面構造を示している。この従来の両面表示型液晶表示装置２００は、両面バックライト装置２０１の表面及び裏面側のそれぞれに液晶パネル２０２が配置され、両面バックライト装置２０１、及び、２つの液晶パネル２０２がシールド２０３内に収容されている。この例では、データ線やゲート線を駆動するドライバＩＣ等が搭載されるテープ・キャリア・パッケージ（ＴＣＰ：Tape Carrier Package）２０４は、それぞれ、液晶パネル２０２の延長上に直線的に伸び、液晶パネル２０２の延長線上に配置された回路基板２０５へ接続される。回路基板２０５の基本的役割は、ＴＣＰ２０４と外部回路との電気的接続であり、回路基板２０５は、接続基板とも呼べるものである。なお、場合によっては、回路基板２０５に、液晶パネル２０２の制御回路や電源回路等を搭載することもできる。同図に示す構造は、表示装置の薄型化には有利であるが、表示領域の周囲の額縁部分が大きくなるという欠点がある。
【０００４】
図１０は、特許文献１に記載された従来の両面表示型液晶表示装置の断面構造を示している。この両面表示型の表示装置２００ａでは、液晶パネル２０２、ＴＣＰ２０４、及び、回路基板２０５を有する液晶表示モジュール２１０が、表示装置の厚み方向の中央付近に配置されるバックライト光源２０６の中心線に関して対称となるように、２つ配置される。この例では、ＴＣＰ２０４は、Ｌ字型に１回だけ折り曲げられ、回路基板２０５が液晶パネル２０２に対して垂直方向に向けられるため、液晶表示装置の額縁部分を小さくすることができる。しかし、この両面表示型液晶表示装置２００ａは、薄型化が困難であるという欠点がある。
【０００５】
表示装置の額縁部分を小さくすると共に、薄型化を実現できる両面表示型液晶表示装置としては、特許文献２に記載された技術が知られている。図１１は、特許文献２に記載された従来の両面表示型の液晶装置の断面構造を示している。この両面表示型液晶表示装置２００ｂでは、フレームに固定された液晶パネル２０２及び回路基板２０５によって液晶表示パネルモジュール２１１が形成され、この液晶表示パネルモジュール２１１がケース２０７のほぼ中央に配置されるバックライト光源２０６の中心線に関して対称となるように配置される。この表示装置２００ｂでは、２つの液晶表示パネルモジュール２１１の端部がＬ字型に折り曲げられ、双方の液晶パネルモジュール２１１が図面上下方向に互いに位置をずらして配置されるため、額縁部分を小さくできると共に、装置の薄型化を図ることができる。
【特許文献１】特開平７−４３６８８号公報
【特許文献２】特開昭６４−８４２９２号公報
【発明の開示】
【発明が解決しようとする課題】
【０００６】
ところで、特許文献２に記載の両面表示型液晶表示装置２００ｂでは、表面側の液晶パネルモジュール２１１と、裏面側の液晶表示パネルモジュール２１１とを、互いに位置をずらして配置しているため、表面側と裏面側とでは、画像の表示位置がずれるという問題がある。また、表面側の液晶パネル２０２の中心位置と、裏面側の液晶パネル２０２の中心位置とがずれているため、例えば表面側の液晶パネル２０２の中心位置を、バックライト光源２０６の中心位置に合わせると、裏面側の液晶パネル２０２の中心位置と、バックライト光源２０６の中心位置とにずれが生じる。このため、表示装置の裏面側では、液晶パネル２０２の一方の端部からバックライト光源２０６までの間の距離と、他方の端部からバックライト光源２０６までの間の距離とが異なる距離となり、輝度均一性などの表示品質が低下するという問題がある。
【０００７】
本発明は、表面及び裏面の表示位置を同じ位置に合わせた場合についても、額縁部分を狭くでき、かつ、装置を薄型に形成できる両面表示型液晶表示装置を提供することを目的とする。
【課題を解決するための手段】
【０００８】
上記目的を達成するために、本発明の両面表示型液晶表示装置は、バックライト装置の表面側及び裏面側にそれぞれ液晶表示パネルを有する両面表示型液晶表示装置において、前記表面側及び裏面側の液晶表示パネルにそれぞれ対応して前記バックライト装置の一端面に配設され、該端面からの距離が相互に異なるように支持される２つの回路基板と、前記液晶表示パネルと、該液晶パネルに対応する回路基板とをそれぞれ接続するテープ・キャリア・パッケージ（ＴＣＰ）とを備え、前記ＴＣＰはそれぞれ複数の折り曲げ可能位置を有し、前記双方のＴＣＰの折り曲げ位置が相互に異なることを特徴とする。
【０００９】
本発明の両面表示型液晶表示装置では、Ｌ字状に一回だけ折り曲げられるＴＣＰの折り曲げ位置を複数のうちから選択可能に構成し、表面側の液晶パネルに接続されるＴＣＰの折り曲げ位置と、裏面側の液晶パネルに接続されるＴＣＰの折り曲げ位置とを異なる位置にして、バックライト装置の端部において、表面側の液晶パネルにＴＣＰを介して接続される回路基板からバックライト装置の端面までの距離と、裏面側の液晶パネルにＴＣＰを介して接続される回路基板からバックライト装置の端面までの距離とを、相互に異なる距離にしている。このため、表面側の表示位置と裏面側の表示位置とを合わせても、バックライト装置の端部では、表面側及び裏面側の液晶パネルに接続される２つの回路基板を、その主面が対向するように、すなわち基板の厚み方向に重ねて配置することができる。
【００１０】
本発明の両面表示型液晶表示装置では、前記双方のＴＣＰは、それぞれ、延長方向に位置が異なる第１及び第２のスリット部を有し、一方のＴＣＰは第１のスリット部で折り曲げられ、他方のＴＣＰは第２のスリット部で折り曲げられていることが好ましい。この場合、ＴＣＰの折り曲げ位置は、２箇所のうちから選択でき、表面側及び裏面側に同じＴＣＰを使用しても、表面側及び裏面側の液晶パネルにＴＣＰを介して接続される回路基板を重ねるように配置することができる。
【００１１】
本発明の両面表示型液晶表示装置では、上記に代えて、前記双方のＴＣＰは、複数の折り曲げ位置が選択可能なスリット部をそれぞれ同じ位置に有し、該スリット部における折り曲げ位置が双方のＴＣＰで異なる構成を採用することができる。例えば、スリット部を、２ｍｍ〜３ｍｍ程度で形成して、ＴＣＰの折り曲げ位置を、複数のうちから選択可能に構成して、表面側の液晶パネルに接続されるＴＣＰの折り曲げ位置と、裏面側の液晶パネルに接続されるＴＣＰの折り曲げ位置とを、相互に異なる位置にする。
【００１２】
本発明の両面表示型液晶表示装置では、前記双方の回路基板は、実質的に同一形状を有し、前記端面と直交方向に見ると重なって配置されることが好ましい。この場合、表面側と裏面側とで同じ部品を使用して、コスト増を抑えつつ、薄型の両面表示型液晶表示装置を得ることができる。
【００１３】
本発明の両面表示型液晶表示装置では、一方の回路基板は前記端面に接して固定され、他方の回路基板は前記端面から離隔して固定されることが好ましい。例えば、一方の回路基板をバックライト装置にネジ等で固定し、他方の回路基板を、高さをかせぐためにバックライト装置の端面に設けられたボス等を介して、バックライト装置にネジ等で固定する構成を採用することができる。
【００１４】
本発明の両面表示型液晶表示装置では、前記バックライト装置の表面及び裏面の端部付近に形成された溝又は突起にスナップ係合する係合部と、前記一方の回路基板を前記端面に保持する第１の保持部と、前記他方の回路基板を端面から離隔して保持する第２の保持部とを備える固定部材によって前記双方の回路基板を固定する構成を採用することができる。この場合、バックライト装置の端面を平面状に形成できるため、切欠き部を設ける必要がなく、部品搭載エリア等が確保しやすくなる。
【００１５】
本発明の両面表示型液晶表示装置では、前記第２の保持部は、前記他方の回路基板をスナップ状に挟み込むかぎ状の爪を有することが好ましい。この場合、他方の回路基板の固定が確実になる。
【発明の効果】
【００１６】
本発明の両面表示型液晶表示装置は、表面側の液晶パネルに接続されるＴＣＰの折り曲げ位置と、裏面側の液晶パネルに接続されるＴＣＰの折り曲げ位置とを異なる位置にしているため、表面側の表示位置と裏面側の表示位置を合わせた場合についても、バックライト装置の端部では、それぞれＴＣＰを介して、表面側及び裏面側の液晶パネルに接続される２つの回路基板を基板の主面が対向するように重ねて配置することができ、両面表示型液晶表示装置の額縁部分を狭くしつつ、薄型に形成することができる。
【発明を実施するための最良の形態】
【００１７】
以下、図面を参照し、本発明の実施形態例に基づいて、本発明を更に詳細に説明する。図１は、本発明の第１実施形態例の両面表示型液晶表示装置の断面構造を示している。両面表示型液晶表示装置（以下、両面ＬＣＤとも呼ぶ）１００は、両面バックライト装置１０１、液晶パネル１０２（１０２ａ、１０２ｂ）、シールド１０３、ＴＣＰ１０４、及び、回路基板１０５を備える。両面ＬＣＤ１００では、両面バックライト装置１０１の表面及び裏面に対応して液晶パネル１０２がそれぞれ配置され、液晶パネル１０２、ＴＣＰ１０４、及び、回路基板１０５がシールド１０３内に収容されている。
【００１８】
両面バックライト装置１０１は、表面及び裏面に発光面を有する。両面バックライト装置１０１は、例えば表面側及び裏面側の双方に拡散板が配置され、その間に複数のランプを有する直下型のバックライト装置として構成される。または、これに代えて、通常の片面表示の液晶表示装置に使用されるバックライト装置の背面同士を２つ張り合わせたものとして構成することもできる。液晶パネル１０２は、例えば能動素子が形成されるアクティブマトリクス基板と、液晶層と、対向基板とを有し、両面バックライト装置１０１の発光面からの光の透過を制御して、画像の表示を行う。回路基板１０５には、液晶パネル１０２内のデータ線に供給すべき信号を生成するデータ信号回路（Ｘ系信号回路）、又は、ゲート線に供給すべき信号を生成するゲート信号回路（Ｙ系信号回路）が形成される。
【００１９】
図２は、ＴＣＰ１０４を平面図で示している。ＴＣＰ１０４は、回路基板１０５と液晶パネル１０２との間を接続する。ＴＣＰ１０４は、例えば、Ｘ方向の幅が２０〜４０ｍｍ程度、Ｙ方向の幅が２０〜３０ｍｍ程度で形成される。ＴＣＰ１０４のベース基板１４１は、例えばポリミイド等のプラスチックフィルムで形成され、ベース基板１４１上には、液晶パネル１０２のゲート線又はデータ線を駆動するためのドライバチップ１４２が搭載される。ドライバチップ１４２は、例えば１０ｍｍ×１．５ｍｍのサイズに形成される。
【００２０】
ベース基板１４１は、それぞれ、１ｍｍ程度の幅で形成される第１スリット部１４３と、第２スリット部１４４とを有する。第１スリット部１４３及び第２スリット部１４４は、ベース基板１４１において、ドライバチップ１４２が搭載されず、かつ、配線がされない箇所をエッチングし、配線部分を残したスリット状の穴をあけ、その穴に樹脂等を注入して形成する公知の技術で形成することができる。このように形成したスリット部は、ベース基板１４１よりも柔軟性があり、ＴＣＰ１０４は、第１スリット部１４３及び第２スリット部１４４で、それぞれ折り曲げ可能である。
【００２１】
図１に戻り、表面側及び裏面側の液晶パネル１０２は、それぞれ、矩形状に形成され、その少なくとも一辺、通常はＸ方向に平行な辺の１つ及びＹ方向に平行な辺の１つに、ＴＣＰ１０４が接続される。両面ＬＣＤ１００では、両面バックライト装置１０１の端部の少なくとも１箇所において、表面側の液晶パネル１０２（以下、第１液晶パネル１０２ａとも呼ぶ）にＴＣＰ１０４を介して接続される回路基板１０５の配置位置と、裏面側の液晶パネル１０２（以下、第２液晶パネル１０２ｂとも呼ぶ）にＴＣＰ１０４を介して接続される回路基板１０５の配置位置とが競合する。図１では、両面ＬＣＤ１００内のＹ方向の両端において、第１液晶パネル１０２ａに接続される回路基板１０５の配置位置と、第２液晶パネル１０２ｂに接続される回路基板１０５の配置位置とが競合している。
【００２２】
回路基板の配置位置が競合する箇所では、表面側及び裏面側の液晶パネル１０２に接続される各ＴＣＰ１０４は、それぞれ、相互に異なるスリット部で折り曲げられる。図１では、第１液晶パネル１０２ａに接続される２つのＴＣＰ１０４は、それぞれ、第２スリット部１４４で、Ｌ字状に１回だけ折り曲げられている。一方、第２液晶パネル１０２ｂに接続される２つのＴＣＰ１０４は、それぞれ、第１スリット部１４３で、Ｌ字状に１回だけ折り曲げられている。
【００２３】
両面ＬＣＤ１００では、第１液晶パネル１０２ａに接続されるＴＣＰ１０４の折り曲げ位置と、第２液晶パネル１０２ｂに接続されるＴＣＰ１０４の折り曲げ位置とを異なる位置にしているため、両面バックライト装置１０１の端部では、回路基板１０５が２段重ねになるように配置され、回路基板１０５の配置位置の競合が解消する。ここで、第１スリット部１４３と第２スリット部１４４の間隔は、両面バックライト装置１０１の端部に重ねて配置される２つの回路基板１０５が干渉し合わないように、回路基板１０５に搭載される回路素子の高さに応じて、例えば２〜３ｍｍ程度に設定される。
【００２４】
本実施形態例では、ＴＣＰ１０４が、第１スリット部１４３と第２スリット部１４４とを有するため、第１液晶パネル１０２ａに接続されるＴＣＰ１０４と、第２液晶パネル１０２ｂに接続されるＴＣＰ１０４とで、折り曲げ位置を相互に異なる位置にすることができる。このため、表面側及び裏面側の液晶パネル１０２として同じ液晶パネルを使用し、双方の液晶パネル１０２の中心位置を合わせても、両面ＬＣＤ１００のＹ方向の両端では、それぞれＴＣＰ１０４を介して、第１液晶パネル１０２ａに接続される回路基板１０５と、第２液晶パネル１０２ｂに接続される回路基板１０５とを、それぞれが互いに干渉することなく、その主面が対向して重なるように配置することができる。これにより、両面ＬＣＤ１００では、額縁部分を狭くすることができると共に、装置の薄型化を図ることができる。
【００２５】
Ｌ字状に１回だけ折り曲げられる従来のＴＣＰは、一般に、その折り曲げ箇所に対応して、スリット部が１つ形成される。このようなＴＣＰを用いた場合には、両面バックライト装置の端部において、ＴＣＰに接続される基板を重ねるように配置し、薄型の両面ＬＣＤを実現するためには、折り曲げ位置が異なるＴＣＰを少なくとも２種類用意する必要があるため、部品点数が多くなり、コストがかさむ。本実施形態例では、液晶パネル１０２の実装に際して、ＴＣＰ１０４の折り曲げ位置として、２箇所のうちから１つが選択できるため、表面側及び裏面側の液晶パネル１０２に接続されるＴＣＰ１０４として、同じＴＣＰを使用しても、ＴＣＰ１０４に接続される回路基板１０５を、両面バックライト装置の端部において重ねるように配置できる。従って、本実施形態例では、設計工数の増加やコスト増を抑制しつつ、薄型の両面ＬＣＤを実現できる。
【００２６】
また、表面側及び裏面側の液晶パネルに、それぞれスリット部の形成位置が相互に異なるＴＣＰを接続する場合には、液晶パネルの実装に際して、表面側に実装すべき液晶パネルと、裏面側に実装すべき液晶パネルとを区別する必要があり、実装工程が複雑になる。本実施形態例では、液晶パネル１０２に接続されるＴＣＰ１０４の折り曲げ位置が２つのうちから任意に選択できるため、表面側に実装すべき液晶パネル１０２と、裏面側に実装すべき液晶パネル１０２とを区別する必要がなく、実装工程が複雑化しない。
【００２７】
図３は、本発明の第２実施形態例の両面ＬＣＤの断面構造を示し、図４は、図３のＴＣＰ１０４ａを平面図として示している。本実施形態例では、第１スリット部１４３及び第２スリット部１４４に代えて、ＴＣＰ１０４ａには、図４に示すような幅広スリット１４５が形成される点で、第１実施形態例と相違する。幅広スリット１４５の幅は、例えば３ｍｍ程度の幅で形成される。ＴＣＰ１０４ａは、幅広スリット１４５が形成される範囲内のＹ方向の何れかの位置で、折り曲げ可能である。図４では、第１液晶パネル１０２ａに接続されるＴＣＰ１０４ａは、第２液晶パネル１０２ｂに接続されるＴＣＰ１０４ａの折り曲げ位置に比して、液晶パネルにより近い側の位置で折り曲げられている。
【００２８】
本実施形態例では、ＴＣＰ１０４ａの折り曲げ位置を決めるスリット部を、幅広スリット１４５として形成するため、第１液晶パネル１０２ａに接続するＴＣＰ１０４ａの折り曲げ位置と、第２液晶パネル１０２ｂに接続するＴＣＰ１０４ａの折り曲げ位置とを相互に異なる位置にすることができる。これにより、第１実施形態例と同様に、表面側と裏面側とで同じＴＣＰ１０４ａを使用して、設計工数の増加やコスト増を抑制しつつ、薄型の両面ＬＣＤを実現できる。また、本実施形態例では、ＴＣＰの折り曲げ位置が第１スリット部１４３及び第２スリット部１４４が形成される位置に限定されないため、第１実施形態例に比して、折り曲げ位置の自由度が高い。
【００２９】
図５（ａ）及び（ｂ）は、それぞれ本発明の第３実施形態例の両面ＬＣＤを斜視図として示している。本実施形態例は、第１実施形態例又は第２実施形態例の両面ＬＣＤと同様な両面ＬＣＤにおける具体的な固定機構を示すものである。本実施形態例では、回路基板１０５は、両面バックライト装置の端面にネジ止めで固定される。なお、以下では、ＴＣＰとして、第１スリット部１４３及び第２スリット部１４４を有する第１実施形態例のＴＣＰ１０４が用いられる例について説明する。
【００３０】
両面バックライト装置１０１は、それぞれ、表面側及び裏面側の液晶パネル１０２に接続される回路基板１０５が２段重ねに配置される端面に、１段目の回路基板１０５をネジ止めするためのネジ孔を有する。また、１段目の回路基板１０５と２段目の回路基板１０５との間の空間を確保し、２段目の回路基板１０５をネジ止めするためのネジ止めボス１０６を有する。回路基板１０５では、ネジ止めされた際に、両面バックライト装置１０１側とは反対側の面（紙面手前方向）にＩＣチップ等の部品が搭載される。
【００３１】
本実施形態例の両面ＬＣＤ１００は、以下のようにして組み立てられる。まず、両面バックライト装置１０１の表面側に、ＴＣＰ１０４が接続された第１液晶パネル１０２ａが乗せられる。第１液晶パネル１０２ａに接続されたＴＣＰ１０４は、第２スリット部１４４で折り曲げられ、そのＴＣＰ１０４に接続される回路基板１０５は、両面バックライト装置１０１の端面に沿った方向に向けられる。回路基板１０５には、ネジ止めボス１０６の位置に対応して形成される切欠き部１５１と、ネジ穴１５２とが設けられており、回路基板１０５は、両面バックライト装置１０１の端面に接してねじ止めされる。
【００３２】
次いで、両面バックライト装置１０１の裏面側に、ＴＣＰ１０４が接続された第２液晶パネル１０２ｂが乗せられる。第２液晶パネル１０２ｂに接続されたＴＣＰ１０４は、第１スリット部１４３で折り曲げられ、そのＴＣＰ１０４に接続される回路基板１０５は、両面バックライト装置１０１の端面に接してねじ止めされた回路基板１０５と主面が対向して重なるように、両面バックライト装置１０１の端面に沿った方向に向けられる。第２液晶パネル１０２ｂ接続される回路基板１０５には、第１液晶パネルに接続される回路基板１０５と同様に、切欠き部１５１とネジ穴１５２とが設けられており、第２液晶パネル１０２ｂに接続される回路基板１０５は、ネジ止めボス１０６にネジ止めされる。その後、シールド１０３で両面バックライト装置１０１及び液晶パネル１０２等を収容する。
【００３３】
本実施形態例では、ネジ止めボス１０６によって、２段目の回路基板１０５を両面バックライト装置１０１の端部に固定する構成を採用するため、１段目の回路基板１０５を構成する第１液晶パネル１０２ａに接続される回路基板１０５と、２段目の回路基板１０５を構成する第２液晶パネル１０２ｂに接続される回路基板１０５との間の空間を保ちつつ、双方の回路基板１０５を、両面バックライト装置１０１の端部に固定することができる。また、回路基板１０５の取り付けに、特別な固定用部品を必要としないため、両面ＬＣＤを組み立てる際のコスト増を抑制することができる。
【００３４】
図６（ａ）及び（ｂ）は、それぞれ、本発明の第４実施形態例の両面ＬＣＤを斜視図として示している。本実施形態例は、第３実施形態例と同様に、第１実施形態例又は第２実施形態例の両面ＬＣＤにおける具体的な固定機構を示す。本実施形態例では、回路基板１０５は、基板固定片１０７によって固定される。なお、以下では、第３実施形態例の説明と同様に、ＴＣＰとして、第１実施形態例のＴＣＰ１０４が用いられる例について説明する。
【００３５】
基板固定片１０７は、両面バックライト装置１０１を表面側及び裏面側より挟み込むかぎ状の爪を有し、両面バックライト装置１０１には、基板固定片１０７の爪に対応して噛合い穴１１１が設けられる。基板固定片１０７は、例えば樹脂で形成され、その前面（両面バックライト装置１０１）側の爪は、その角が斜めにカットされた形状に形成される。これにより、基板固定片１０７を前面側から両面バックライト装置１０１に押し当てることで、スナップ係合により、基板固定片１０７の爪が噛合い穴１１１にはめ込まれるようになっている。また、基板固定片１０７は、両面バックライト装置１０１を挟み込む爪とは反対側に、別のかぎ状の爪（溝）を有する。基板固定片１０７では、両面バックライト装置１０１との間の空間が第１基板保持部１７１を構成し、両面バックライト装置１０１とは反対側の溝が第１基板保持部１７２を構成する。
【００３６】
本実施形態例の両面ＬＣＤ１００は、以下のようにして組み立てられる。まず、両面バックライト装置１０１の表面側に、ＴＣＰ１０４が接続された第１液晶パネル１０２ａが乗せられる。第１液晶パネル１０２ａに接続されたＴＣＰ１０４は、第２スリット部１４４（図１）で折り曲げられ、そのＴＣＰ１０４に接続される回路基板１０５は、両面バックライト装置１０１の端面に沿った方向に向けられる。第１液晶パネル１０２ａに接続される回路基板１０５は、基板固定片１０７の第１基板保持部１７１に保持され、基板固定片１０７のかぎ状の爪が両面バックライト装置１０１の噛合い穴１１１にはめ込まれることによって、基板固定片１０７と両面バックライト装置１０１との間に保持される。
【００３７】
次いで、両面バックライト装置１０１の裏面側に、ＴＣＰ１０４が接続された第２液晶パネル１０２ｂが乗せられる。第２液晶パネル１０２ｂに接続されたＴＣＰ１０４は、第１スリット部１４３（図１）で折り曲げられ、そのＴＣＰ１０４に接続される回路基板１０５は、第１液晶パネル１０２ａにＴＣＰ１０４を介して接続される回路基板１０５と重なるように、両面バックライト装置１０１の端面に沿った方向に向けられる。第２液晶パネル１０２ｂ接続される回路基板１０５は、基板固定片１０７の溝に差し込まれ、第１基板保持部１７２に保持される。その後、シールド１０３で両面バックライト装置１０１及び液晶パネル１０２等を収容する。
【００３８】
本実施形態例では、基板固定片１０７を使用して、１段目の回路基板１０５を構成する第１液晶パネル１０２ａに接続される回路基板１０５と、２段目の回路基板１０５を構成する第２液晶パネル１０２ｂに接続される回路基板１０５とを、両面バックライト装置１０１の端部に固定するため、第３実施形態例とは異なり、回路基板１０５に切欠き部を形成する必要がない。このため、第３実施形態例に比して、回路基板１０５内の配線エリアや部品実装エリアを広くとることができる。
【００３９】
図７（ａ）及び（ｂ）は、それぞれ本発明の第５実施形態例の両面ＬＣＤを斜視図として示している。本実施形態例では、基板固定片１０８の形状が、第４実施形態例の基板固定片１０７の形状とは異なる。本実施形態例では、両面バックライト装置１０１の端部において、２段目を構成する回路基板１０５が、基板固定片１０８のＺ方向の両端に設けられたかぎ状の爪の間に保持される。
【００４０】
基板固定片１０８の２段目を構成する回路基板１０５を保持する爪は、それぞれ、基板固定片１０８の両面バックライト装置１０１側に設けられた爪と同様に、角がカットされた形状に形成され、回路基板１０５を押し当てることで、回路基板１０５が、スナップ状に挟み込まれて、第２基板保持部１８２に保持されるようになっている。本実施形態例では、第４実施形態例と同様に、回路基板１０５内の配線エリアや部品実装エリアを確保しやすいという効果がある。
【００４１】
なお、第３実施形態例では、回路基板１０５がネジ止めされる例について説明したが、ネジに代えて、プッシュリベットのようなものを使用してもよい。また、ＴＣＰをＣＯＦ（チップオンフレキ）として構成し、基板の配置位置が競合する両面バックライト装置１０１の端部において、表面側の液晶パネルに接続するＣＯＦの折り曲げ位置と、裏面側の液晶パネルに接続するＣＯＦの折り曲げ位置とを相互に異なる位置にし、基板を厚み方向に重ねる構造とすることもできる。第４及び第５実施形態例では、両面バックライト装置１０１に噛合い穴を設けたが、これに代えて、基板固定片のかぎ状の爪によって、基板固定片を固定するような突起を設けてもよい。
【００４２】
図１及び図３では、同じ液晶パネル１０２に接続される２つのＴＣＰ１０４が、それぞれ同じ折り曲げ位置で折り曲げられる例について示したが、双方のＴＣＰ１０４の同じ折り曲げ位置を相互に異なる位置とすることもできる。図８は、本発明の両面表示型液晶表示装置の断面構造の別の例を示している。図１に示す構造に代えて、図８に示すように、第１液晶パネル１０２ａに接続される一方のＴＣＰ１０４を第２スリット部１４４で折り曲げ、他方のＴＣＰ１０４を第１スリット部１４３で折り曲げて、第２液晶パネル１０２ｂに接続される一方のＴＣＰ１０４を第１スリット部１４３で折り曲げ、他方のＴＣＰ１０４を第２スリット部１４４で折り曲げる構造としてもよい。
【００４３】
以上、本発明をその好適な実施形態例に基づいて説明したが、本発明の両面表示型液晶表示装置は、上記実施形態例にのみ限定されるものではなく、上記実施形態例の構成から種々の修正及び変更を施したものも、本発明の範囲に含まれる。
【図面の簡単な説明】
【００４４】
【図１】本発明の第１実施形態例の両面表示型液晶表示装置の構造を示す断面図。
【図２】図１のＴＣＰ１０４を示す平面図。
【図３】本発明の第２実施形態例の両面表示型液晶表示装置の構造を示す断面図。
【図４】図３のＴＣＰ１０４ａを示す平面図。
【図５】（ａ）及び（ｂ）は、それぞれ本発明の第３実施形態例の両面表示型液晶表示装置を示す斜視図。
【図６】（ａ）及び（ｂ）は、それぞれ本発明の第４実施形態例の両面表示型液晶表示装置を示す斜視図。
【図７】（ａ）及び（ｂ）は、それぞれ本発明の第５実施形態例の両面表示型液晶表示装置を示す斜視図。
【図８】本発明の両面表示型液晶表示装置の構造の別の例を示す断面図。
【図９】従来の両面表示型液晶表示装置の構造を示す断面図。
【図１０】特許文献１に記載された従来の両面表示型液晶表示装置の構造を示す断面図。
【図１１】特許文献２に記載された従来の両面表示型液晶表示装置の構造を示す断面図。
【符号の説明】
【００４５】
１００：両面ＬＣＤ
１０１：両面バックライト装置
１０２：液晶パネル
１０３：シールド
１０４：ＴＣＰ
１０５：基板
１０６：ネジ止めボス
１０７、１０８：基板固定片
１１１：噛合い穴
１４１：ベース基板
１４２：ドライバチップ
１４３：第１スリット部
１４４：第２スリット部
１４５：幅広スリット部
１５１：切欠き部
１５２：ネジ穴
１７１：基板保持部
【図１】
2005107071.tif 000003
【図２】
2005107071.tif 000004
【図３】
2005107071.tif 000005
【図４】
2005107071.tif 000006
【図５】
2005107071.tif 000007
【図６】
2005107071.tif 000008
【図７】
2005107071.tif 000009
【図８】
2005107071.tif 000010
【図９】
2005107071.tif 000011
【図１０】
2005107071.tif 000012
【図１１】
2005107071.tif 000013